(57)【特許請求の範囲】
【請求項１】
ルーメンを有する本体を含む、心臓内の視覚化、ナビゲーションおよびマッピングのための心腔内心エコーのための医療装置用ワイヤ・ハーネスであって、
遠位部分および近位部分、
複数のツイスト・ペア・ワイヤリング、前記複数のツイスト・ペア・ワイヤリングの一部を取り囲むシールド、及び共通の接地線であって、前記複数のツイスト・ペア・ワイヤリングのそれぞれのうちの一方のワイヤが前記共通の接地線に電気的かつ物理的に接続された接地線、を含むワイヤリング束と、
電気的に制御された対象に動作可能に接続するように構成された、前記ワイヤリング束の前記遠位部分に接続された遠位フレックス回路と、
電気コネクタに動作可能に接続するように構成された、前記ワイヤリング束の前記近位部分に接続された近位フレックス回路と
を含み、
前記共通の接地線は、前記遠位フレックス回路及び前記近位フレックス回路の少なくとも一方に電気的に接続されており、
前記医療装置の前記細長の本体の前記ルーメンを実質的に通って延びるようにサイズ決めおよび構成されるワイヤ・ハーネス。
【請求項２】
前記複数のツイスト・ペア・ワイヤリングは直線配置配向にて提供される、請求項１に記載のワイヤ・ハーネス。
【請求項３】
前記電気的に制御された対象は、超音波トランスデューサおよび複数のフレキシブル・プリント回路を含む超音波トランスデューサ・アセンブリであり、前記遠位フレックス回路が前記複数のフレキシブル・プリント回路の少なくとも１つに動作可能に接続するように構成されている、請求項１又は２に記載のワイヤ・ハーネス。
【請求項４】
前記遠位フレックス回路と、前記複数のフレキシブル・プリント回路のうち少なくとも１つとの間の動作可能なまたは導電性の接続部は、接合または半田付けされる、請求項３に記載のワイヤ・ハーネス。
【請求項５】
前記遠位フレックス回路と、前記複数のフレキシブル・プリント回路のうち少なくとも１つとの間の動作可能な接続部は、前記遠位フレックス回路と、前記複数のフレキシブル・プリント回路のうち少なくとも１つとの間に設けられる異方性導電膜で接合される、請求項３又は４に記載のワイヤ・ハーネス。
【請求項６】
前記近位フレックス回路は、フレキシブル基板および複数の導電性パッドを含み、前記フレキシブル基板および前記複数の導電性パッドはゼロ挿入力（ＺＩＦ）型コネクタに接続するように構成される、請求項１〜５のいずれかに記載のワイヤ・ハーネス。
【請求項７】
前記ＺＩＦ型コネクタはリジッド・プリント回路基板上に設けられる、請求項６に記載のワイヤ・ハーネス。
【請求項８】
前記医療装置はハンドルを含み、前記ワイヤ・ハーネスは前記ハンドルを完全に通って延びるように構成されている、請求項１〜７のいずれかに記載のワイヤ・ハーネス。
【請求項９】
前記医療装置は、少なくとも１つのアクチュエータを含むハンドルを含み、
前記少なくとも１つのアクチュエータは、前記少なくとも１つのアクチュエータの操作により少なくとも４つの方向に前記細長の本体を操作するように構成される、請求項１〜８のいずれかに記載のワイヤ・ハーネス。
【請求項１０】
前記ワイヤリング束は、少なくとも８本の前記ツイスト・ペア・ワイヤリングを含む、請求項１〜９のいずれかに記載のワイヤ・ハーネス。
【請求項１１】
前記ツイスト・ペア・ワイヤリングは、１インチあたり少なくとも２７回のツイスト率を有する、請求項１〜１０のいずれかに記載のワイヤ・ハーネス。
【請求項１２】
前記シールドは、銀めっき銅編組を含む、請求項１〜１１のいずれかに記載のワイヤ・ハーネス。
【請求項１３】
前記シールドは、接地用に構成されたピグテール・ワイヤを含み、前記ツイスト・ペア・ワイヤリングは、第１のワイヤおよび第２のワイヤを含み、前記近位フレックス回路は、フレキシブル基板および複数の導電性パッドを含み、前記ツイスト・ペア・ワイヤリングの前記第１のワイヤは、前記複数の導電性パッドの個々の導電性パッドで動作可能に終端し、前記第２のワイヤは前記ピグテール・ワイヤに動作可能に接続される、請求項１〜１２のいずれかに記載のワイヤ・ハーネス。
【請求項１４】
前記シールドは、接地用に構成されたピグテール・ワイヤを含み、前記ツイスト・ペア・ワイヤリングは、第１のワイヤおよび第２のワイヤを含み、前記遠位フレックス回路は、フレキシブル基板および複数の導電性パッドを含み、前記ツイスト・ペア・ワイヤリングの前記第１のワイヤは、前記複数の導電性パッドの個々の導電性パッドで動作可能に終端し、前記第２のワイヤは前記ピグテール・ワイヤに動作可能に接続され、前記ピグテール・ワイヤは前記複数の導電性パッドのうちのある導電性パッドで動作可能に終端する、請求項１〜１３のいずれかに記載のワイヤ・ハーネス。
【請求項１５】
電気的に制御された対象は、一組の導電性パッドを含む少なくとも１つのフレキシブル・プリント回路を含み、前記遠位フレックス回路は、前記遠位フレックス回路の遠位端に隣接して備えられる前記一組の導電性パッドを有し、前記一組の導電性パッドは前記ツイスト・ペア・ワイヤリングの第１のワイヤに直接接続されておらず、前記遠位フレックス回路の前記一組の導電性パッドは、前記電気的に制御された対象の前記一組の導電性パッドに導電的に接合するように構成される、請求項１〜１４のいずれかに記載のワイヤ・ハーネス。
【請求項１６】
さらに、前記ワイヤ・ハーネス及び少なくとも１つの他のワイヤ・ハーネスを含む複数のワイヤ・ハーネスであって、前記少なくとも１つの他のワイヤ・ハーネスは、
複数のツイスト・ペア・ワイヤリング、および
前記複数のツイスト・ペア・ワイヤリングの一部を取り囲むシールド
を含むワイヤリング束を含み、
前記少なくとも１つの他のワイヤ・ハーネスの前記ワイヤリング束は動作可能に前記遠位フレックス回路を前記近位フレックス回路に接続し、前記ワイヤ・ハーネス及び前記少なくとも１つの他のワイヤ・ハーネスのそれぞれは、動作可能に、前記電気的に制御された対象の同じ前記フレキシブル・プリント回路に接続される、請求項１〜１５のいずれかに記載のワイヤ・ハーネス。
【請求項１７】
前記電気的に制御された対象は、第１の幅を有するフレキシブル基板を含む少なくとも１つのフレキシブル・プリント回路を含み、前記電気的に制御された対象の前記フレキシブル基板は第２の幅になるよう屈曲または折り畳まれるように構成され、前記第２の幅は前記第１の幅よりも小さい、請求項１〜１６のいずれかに記載のワイヤ・ハーネス。
【請求項１８】
前記複数のワイヤ・ハーネスは少なくとも４つのワイヤ・ハーネス対を含む、請求項１６又は１７に記載のワイヤ・ハーネス。
【発明の詳細な説明】
【技術分野】
【０００１】
関連出願の相互参照
本願は、２０１０年５月１１日に出願された米国仮出願第６１／３３３，６４１号（‘６４１出願）の利益を主張する、２０１１年５月１１日に出願された米国出願第１３／１０５，６４６号（‘６４６出願）の一部継続出願である、２０１２年５月７日に出願された米国特許出願第１３／４６５，６５５号（‘６５５出願）に対する優先権を主張する。本願は、２０１２年４月９日に出願された米国仮出願第６１／６２１，８１４号（‘８１４出願）の利益もまた主張する。‘６５５出願、‘６４６出願、‘６４１出願および‘８１４出願はすべて、全体として本明細書に示されたかのように、参照により本明細書に組み込まれる。
【０００２】
本開示は一般に、カテーテル等の体内に導入するための医療装置、およびその他の操作可能な医療装置を含む医療装置の分野に関する。
【背景技術】
【０００３】
偏向可能な遠位端部を備える可撓性管状本体と、遠位端部の偏向制御用の制御ハンドルとを有するカテーテルおよびシースが、多くの非侵襲的な医療処置に関連して一般に使用される。例えば、心腔内心エコーの研究には、本体の遠位端に沿って１つ以上の超音波トランスデューサを有するカテーテルが使用される。カテーテル本体の遠位端は通常、患者の心臓内に配置され、超音波トランスデューサは信号データを提供し得る。この信号データを用いて、心臓内の視覚化、ナビゲーションおよびマッピング中の心臓内の構造および心臓の血流を視覚化する画像データを生成することができる。概して、超音波トランスデューサは１つの圧電素子または複数の圧電素子を備えてよい。各圧電素子は、圧電素子に取り付けられた比較的細い導電性のワイヤを有することができ、ワイヤはカテーテル本体を通って、最終的には電子制御ユニット（ＥＣＵ）まで延びてよい。例えば、導電性ワイヤはカテ−テルの遠位端から近位端まで延びてよいが、ここでワイヤはＥＣＵ内に備えられた対応ソケットと接続するように構成され得る電気コネクタで終端してよい。カテーテル本体を通る複数のワイヤをまとめるために、ワイヤをフラットマイラーリボン（a flat mylar ribbon）に配置し取り付けてよい。
【発明の概要】
【発明が解決しようとする課題】
【０００４】
より鮮明な画像を得るために、素子の数が増加した超音波トランスデューサを使用することができる。しかしながら、素子の増加によって、カテーテル本体を通って延びる、付随するまたは対応する導電性ワイヤの数もまた増加させられる。カテーテル本体を通って延びる導電性ワイヤの数の増加により、ワイヤリングに伴って剛性が高まりカテーテルの可撓性および操作性が低下し得る。さらに、フラット・リボン上にワイヤリングがなされると、リボンの位置に対する本体の屈曲または湾曲方向によって可撓性が一貫しないものとなり得る。
【０００５】
前述の考察は本分野を例示することのみを意図し、特許請求の範囲を否定するものとしてみなされてはならない。
【課題を解決するための手段】
【０００６】
一実施形態において、医療装置用のワイヤ・ハーネスは、ワイヤリング束、遠位フレックス回路および近位フレックス回路を含んでよい。ワイヤリング束は、複数のツイスト・ペア・ワイヤリング（すなわち撚り合わされたワイヤの対）および複数のツイスト・ペア・ワイヤリングの一部を取り囲むシールドを含んでよく、動作可能にまたは導電的に遠位フレックス回路を近位フレックス回路に接続してよい。遠位フレックス回路は、医療装置の遠位部分に配置された、電気的に制御された対象に動作可能にまたは導電的に接続するように構成されてよい。近位フレックス回路は、動作可能にまたは導電的に、電気コネクタに接続するように構成されてよい。医療装置は、ルーメンを有する細長の管状体を含んでよく、ワイヤ・ハーネスは医療装置の細長の管状体のルーメン全体を実質的に通ってよい。
【０００７】
一実施形態において、医療装置用の一対のワイヤ・ハーネスは、第１のワイヤ・ハーネスおよび第２のワイヤ・ハーネスを含んでよく、各ワイヤ・ハーネスは、ワイヤリング束、遠位フレックス回路および近位フレックス回路を含んでよい。ワイヤリング束は、複数のツイスト・ペア・ワイヤリング、および複数のツイスト・ペア・ワイヤリングの一部を取り囲むシールドを含んでよく、動作可能にまたは導電的に、遠位フレックス回路を近位フレックス回路に接続してよい。遠位フレックス回路は、電気的に制御された対象および少なくとも１つのフレキシブル・プリント回路を含む電気的に制御された対象アセンブリに動作可能にまたは導電的に接続するように構成されてよい。電気的に制御された対象アセンブリは医療装置の遠位部分に配置されてよい。近位フレックス回路は、動作可能にまたは導電的に、電気コネクタに接続するように構成されてよい。第１のワイヤ・ハーネスおよび第２のワイヤ・ハーネスはそれぞれ、動作可能にまたは導電的に、電気的に制御された対象アセンブリの同じフレキシブル・プリント回路に接続されてよい。
【０００８】
一実施形態において、医療装置用の複数のワイヤ・ハーネス対は、第１のワイヤ・ハーネスおよび第２のワイヤ・ハーネスを含むワイヤ・ハーネス対を含んでよい。各ワイヤ・ハーネスは、ワイヤリング束、遠位フレックス回路および近位フレックス回路を含んでよい。ワイヤリング束は、複数のツイスト・ペア・ワイヤリング、複数のツイスト・ペア・ワイヤリングの一部を取り囲むシールドを含んでよい。遠位フレックス回路は、動作可能にまたは導電的に、超音波トランスデューサ・アセンブリに接続するように構成されてよい。超音波トランスデューサ・アセンブリは、超音波トランスデューサおよび、動作可能にまたは導電的に超音波トランスデューサに接続された複数のフレキシブル・プリント回路を含んでよい。超音波トランスデューサ・アセンブリは医療装置の遠位部分に配置されてよい。近位フレックス回路は、電子制御ユニットに動作可能にまたは導電的に接続するように構成されてよい電気コネクタに、動作可能にまたは導電的に接続するように構成されてよい。第１のワイヤ・ハーネスおよび第２のワイヤ・ハーネスはそれぞれ、動作可能にまたは導電的に、超音波トランスデューサ・アセンブリの複数のフレキシブル・プリント回路のうち同じフレキシブル・プリント回路に接続されてよい。
【０００９】
本発明の前述のおよび他の態様、特徴、詳細、有用性および利点は、以下の説明および特許請求の範囲を読むことによって、また添付図面を検討することによって明らかとなるであろう。
【図面の簡単な説明】
【００１０】
【図１】電子制御ユニット（ＥＣＵ）およびディスプレイに接続されたカテーテルの実施形態を含むシステムの図を概略的に示す。
【００１１】
【図２】図１の、超音波トランスデューサ・アセンブリ、本体、ハンドル、電気コネクタおよびワイヤ・ハーネスを有するカテーテルの実施形態の側面図を概略的に示す。
【００１２】
【図３】複数のワイヤ・ハーネスを有する種々の構成での超音波トランスデューサ・アセンブリの実施形態を示したものである。
【００１３】
【図４】図１のハンドルの実施形態の側断面図を示したものである。
【００１４】
【図５】ワイヤ・ハーネスの実施形態を示したものである。
【００１５】
【図６】複数のツイスト・ペア・ワイヤリングの実施形態を概略的に示したものである。
【００１６】
【図７】複数のワイヤ・ハーネスを受容するように構成された複数のゼロ挿入力（ＺＩＦ）コネクタを有する電気コネクタの実施形態を示したものである。
【００１７】
【図８】図５のワイヤ・ハーネスの近位端を受容するように構成された、図７のＺＩＦコネクタを示したものである。
【００１８】
【図９】図５のワイヤ・ハーネスの遠位フレックス回路および近位フレックス回路の実施形態を概略的に示したものである。
【００１９】
【図１０】図５のワイヤ・ハーネスの遠位フレックス回路および近位フレックス回路の別の実施形態を概略的に示したものである。
【発明を実施するための形態】
【００２０】
種々の実施形態が、種々の装置、システムおよび／または方法について本明細書に記載される。本明細書に記載され、添付図面に示される実施形態の全体的な構造、機能、製造および使用の完全な理解を提供するように、多数の特定の詳細が記載される。しかしながら、当業者は、本実施形態がこのような特定の詳細なしに実践され得ることを理解するであろう。その他の場合、本明細書に記載される実施形態を不明瞭なものとしないために、公知の操作、部品および要素は詳細に記述されていない。当業者は、本明細書に記述され例示される実施形態は、非限定的な例であることを理解するであろう。したがって、本明細書に開示される特定の構造および機能の詳細は代表的なものであってよいが、必ずしも本実施形態の範囲を限定するものではなく、その範囲は添付の特許請求の範囲によってのみ規定されることが理解できる。
【００２１】
本明細書を通して「種々の実施形態」、「いくつかの実施形態」、「ある実施形態」または「一実施形態」等の言及は、本実施形態に関連して記述される特定の機能、構造または特徴が少なくとも１つの実施形態に含まれることを意味する。したがって、本明細書を通して所々に現れる語句「種々の実施形態において」、「いくつかの実施形態において」、「ある実施形態において」または「一実施形態において」等の表現は必ずしもすべてが同じ実施形態に言及しているわけではない。さらに、特定の機能、構造または特徴は、１つ以上の実施形態において任意の適切な方法で組み合わせてよい。したがって、１つの実施形態に関連して図示されたまたは記載された特定の機能、構造または特徴は、全体的にまたは部分的に１つ以上の他の実施形態の機能、構造または特徴と組み合わせることが非論理的または非機能的でないのであれば、制限なしに組み合わされてよい。
【００２２】
用語「近位」および「遠位」は本明細書全体を通して、患者を治療するために用いられる器具の一端を操作する臨床医に関して用いられてよいと理解されよう。用語「近位」とは、臨床医にもっとも近い器具の部分を意味し、用語「遠位」とは、臨床医からもっとも離れて位置する部分を意味する。簡潔さおよび明瞭さのため、本明細書では「垂直」、「水平」、「上」および「下」等の空間用語は図示した実施形態に関して使用されてよいことがさらに理解されよう。しかしながら、外科用器具は多くの配向および位置で使用され、これらの用語は限定的または絶対的であることを意図しない。
【００２３】
種々の図において同一の部品を識別するために同様の参照番号が用いられる図面をここで参照すると、図１〜２は概して、１つ以上の診断および／または治療機能を行うカテ−テル１０の例示的実施例を示す。より詳細には、カテ−テル１０は、心腔内心エコー（「ＩＣＥ」）手術を行うための部品を含んでよい。しかしながら、下記の説明はＩＣＥカテーテルに関するものである一方、本開示の主題は多様な医療装置に関連する用途を見出すことができることが理解されるべきである。図１に概略的に示されるように、カテ−テル１０は、超音波トランスデューサ・アセンブリ１２、ハンドル１４、本体１６、ワイヤ・ハーネス１８、管材料２０、および、例えば、セント・ジュード・メディカル社により市販される適合可能なＶｉｅｗＦｌｅｘ（商標）カテーテル・インタフェース・モジュールを介してＶｉｅｗＭａｔｅ（商標）ＺまたはＶｉｅｗＭａｔｅ（商標）ＩＩ心臓内超音波コンソール等の電子制御ユニット（ＥＣＵ）２３に接続するように構成される電気コネクタ２２を含んでよいが、これらに限定されない。一実施形態において、超音波コンソールは、４．５〜８．５ＭＨｚのシステム周波数を有してよい。別の実施形態において、システム周波数は３．０〜９．０ＭＨｚであってよい。一実施形態において、超音波コンソールは、９０°Ｆの視野角を有してよい。別の実施形態において、視野角は８０°Ｆであってよい。一実施形態において、超音波コンソールは１８ｃｍの最大視野深度を有してよい。カテ−テル１０は遠位端２４および近位端２６を有してよい。一実施形態において、超音波撮像モードは、Ｂモード、Ｍモード、スペクトル（パルス波ドップラー）ドップラー、および／またはカラー・ドップラーを含んでよい。
【００２４】
図３を参照すると、超音波トランスデューサ・アセンブリ１２は、トランスデューサ２８および複数のフレキシブル・プリント回路３０を含んでよい。超音波トランスデューサ・アセンブリは、遠位端３２および近位端３４を有してよい。トランスデューサ２８は、フレキシブル・プリント回路３０に動作可能にまたは導電的に接続される複数の圧電素子を含んでよい。各フレキシブル・プリント回路３０は、フレキシブル基板３６、基板３６上に画定される複数の導電性配線３８、および複数の導電性パッド４０を含んでよい。各圧電素子は、動作可能にまたは導電的に、フレキシブル・プリント回路３０の基板３６上に画定される別々の配線３８に接続されてよい。例示的実施形態において、トランスデューサの圧電素子は、動作可能にまたは導電的に、圧力、熱および時間を組み合わせて使用するリフロー（ホットバー）半田付けまたは異方性導電膜（ＡＣＦ）接合等の技法を使用して配線ごとに半田付けすることによって複数の配線３８に接続されてよい。一実施形態において、トランスデューサ２８は、圧電複合体（ＰＺＴ）材料からなる６４素子の線形フェーズド・アレイを含んでよいが、これらに限定されない。一実施形態において、トランスデューサ２８はシリコーンに収容されてよい。一実施形態において、トランスデューサ２８はＸ線透視で、またはＸ線透視下で目に見える。
【００２５】
例示的実施形態において、超音波トランスデューサ・アセンブリ１２は、６４の圧電素子、およびトランスデューサ２８に動作可能にまたは導電的に接続される４つのフレキシブル・プリント回路３０を有するトランスデューサ２８を有してよい。４つのフレキシブル・プリント回路３０のそれぞれは、例えば１８の配線３８および１８のパッド４０を含んでよく、個々の配線３８Ｎは動作可能にまたは導電的に個々のパッド４０Ｎそれぞれに接続されて、配線／パッド回路を形成する。このような実施形態において、１８の導電性配線３８１〜１８および１８の導電性パッド４０１〜１８が、１８の配線／パッド回路を形成することができ、２つの配線／パッド回路は接地線に接続されてよく、残りの１６の配線／パッド回路はトランスデューサ２８の１６の圧電素子に接続されてよい。例示的実施形態において、２つのもっとも外側の配線／パッド回路が接地線に対応してよく、１６の内側配線／パッド回路は１６の個々の圧電素子に対応してよい。例えば、これに限定されないが、圧電素子１〜１６は第１のフレキシブル・プリント回路３０１に対応してよく、圧電素子１７〜３２は第２のフレキシブル・プリント回路３０２に対応してよく、圧電素子３３〜４８は第３のフレキシブル・プリント回路３０３に対応してよく、圧電素子４９〜６４は第４のフレキシブル・プリント回路３０４に対応してよい。超音波トランスデューサ・アセンブリ１２は４つのフレキシブル・プリント回路３０１〜４とともに説明したが、本開示はそのように限定することを意図したものではない。むしろ、複数のフレキシブル・プリント回路３０Ｎは所望に応じて用いられてよく、また本開示の趣旨および範囲内に留まるものである。
【００２６】
図１、２および４に概略的に示されるように、ハンドル１４の実施形態は、その全体が本明細書に完全に記載されたものとして参考として組み込まれる、米国出願第１３／１０５，６４６号（２０１１年１１月１７日に米国特許出願公開第２０１１／０２８２１７６Ａ１号として公開された）に記載されたハンドルに類似していてよい。実施形態において、ハンドル１４は、２つ以上の制御部材の操作によってカテ−テル１０の本体１６の遠位端部分（以下でさらに詳細に説明される）および／または超音波トランスデューサ・アセンブリ１２の四方向操作を提供できる。図２で明らかなように、ハンドル１４の実施形態は、２つ以上の制御部材を操作するように構成されてよい、１つのアクチュエータもしくはつまみ４２、または、第１のつまみ４２および第２のつまみ４４等の複数のアクチュエータもしくはつまみを含んでよい。図４で明らかなように、ハンドル１４は、遠位端４６および近位端４８を有してよい。本体１６のルーメンに位置するワイヤ・ハーネス１８は、ハンドル１４の遠位端４６から入り、通路５０を経由してハンドル１４の中を通って、ハンドル１４の近位端４８から出る。一実施形態において、ワイヤ・ハーネス１８の一部は、ハンドル１４の通路５０内の保護スリーブ４９に取り囲まれていてよい。ワイヤ・ハーネス１８がハンドル１４を通った後、ワイヤ・ハーネス１８は管材料２０のルーメン内を通過してよい。一実施形態において、ワイヤ・ハーネス１８は、ハンドル１４の中央長手軸５２に実質的に平行な経路に沿って直接ハンドル１４内の通路５０を通ってもよい。別の実施形態において、ワイヤ・ハーネス１８がハンドル１４の近位端を出るときにワイヤ・ハーネス１８の一部はハンドル１４の中心を外れて提供されてよい。
【００２７】
図１および２に概略的に示されるように、カテーテル１０の本体１６は、偏向可能な遠位端部分５４および近位端５６を有する可撓性管状本体１６を含んでよい。本体１６の遠位端部分５４の偏向は、ハンドル１４によって作動されてよく、遠位端部分５４の偏向は多方向であってよい。一実施形態において、本体１６の遠位端部分５４は各方向に少なくとも約１２０°の角度で左右および前後への偏向が可能である、四方向偏向で構成されてよい。一実施形態において、偏向可能であってよい遠位端部分５４は、およそ４と１／２インチの長さであってよい。別の実施形態において、偏向可能な長さはおよそ１１．６８ｃｍ±０．５０ｃｍであってよい。一実施形態において、本体１６の遠位端部分５４は、例えばハンドル１４に配置された第１のつまみ４２を回転することによって、前後方向に偏向することができる。一実施形態において、前／後の偏向は、互いから公称１８０°、ハンドル１４のニュートラル・インジケータと本体１６の遠位端部分５４の中心軸とでなされる平面から±２５°離れてよい。一実施形態において、本体１６の遠位端部分５４は、ハンドル１４に配置された第２つまみ４４を回転することによって、左右方向にも偏向することができる。一実施形態において、左右の偏向は、互いから公称１８０°、ハンドル１４のニュートラル・インジケータと本体１６の遠位端部分５４の中心軸とでなされる平面からは±２５°離れてよい。別の実施形態において、第１のつまみ４２により左右の偏向を制御してよく、第２のつまみ４４により前後の方向における偏向を制御してよい。一実施形態において、本体１６は円筒形であり非導電性であってよい。一実施形態において、本体１６は９フレンチ（Ｆ）の直径を有してよい。本体１６の直径が９Ｆの一実施形態において、１０Ｆのイントロデューサを、例えば大腿静脈または頚静脈への挿入のために、９Ｆの本体とともに用いてよい。一実施形態において、本体１６は放射線不透過性Ｐｅｂａｘ（商標）管材料を含んでよい。一実施形態において、本体１６は約９０ｃｍの使用可能な長さ（「Ｌ１」）を有してよい。一実施形態において、超音波トランスデューサ・アセンブリ１２は本体１６の遠位端部分５４に配置されてよく、超音波トランスデューサ・アセンブリ１２に取り付けられている（例えば、以下でさらに詳細に記載されているような）ワイヤ・ハーネス１８は、実質的にカテ−テル１０の遠位端２４から近位端２６まで本体１６を通って延びてよい。一実施形態において、本体１６、および本体１６を通って延びるワイヤ・ハーネス１８はハンドル１４の開口に入ることができる。
【００２８】
上述したように、ワイヤ・ハーネス１８の遠位端５８とワイヤ・ハーネス１８の近位端６０との間にハンドル１４があるように、ワイヤ・ハーネス１８は完全にハンドル１４を通過してよい。一実施形態において、ハンドル１４とワイヤ・ハーネス１８の近位端６０との間のワイヤ・ハーネス１８の部分は管材料２０によって被覆されてよい。一実施形態において、管材料２０は、コネクタ２２およびハンドル１４に接続されてよく、管材料２０はワイヤ・ハーネス１８を保護し包んでよい。一実施形態において、図２に示されているような、管材料２０、および管材料２０を通って延びるワイヤ・ハーネス１８は約１１０ｃｍの長さであってよい長さ（「Ｌ２」）を有してよい。
【００２９】
図５〜１０を参照すると、ワイヤ・ハーネス１８は、ワイヤリング束６２、遠位フレックス回路６４および近位フレックス回路６６を含んでよい。ワイヤ・ハーネス１８は超音波トランスデューサ・アセンブリ１２を電子制御ユニット（ＥＣＵ）２３に電気的に接続するように構成されてよく、ＥＣＵ２３は、トランスデューサ２８から取得された信号データの捕捉および記録すること、ならびにトランスデューサ２８のデータに基づく画像をＥＣＵ２３に接続されたディスプレイ装置２７を介して提供することを含むが、これらに限定されない、トランスデューサ２８の種々の機能を制御できる。
【００３０】
ワイヤリング束６２は、遠位部分および近位部分を有してよい。ワイヤ・ハーネス１８のワイヤリング束６２は、図５および６に示されるように複数のツイスト・ペア・ワイヤリング６８（すなわち撚り合わされたワイヤ対）およびシールド７０を含んでよい。図６に概略的に示されるように、各ツイスト・ペア・ワイヤリングは、個々のワイヤ６８Ａ、６８Ｂがそれぞれ絶縁材で取り囲まれた、２本のワイヤ６８Ａ、６８Ｂを含んでよい。２本の個々のワイヤ６８Ａ、６８Ｂは互いに撚り合わされて、ツイスト・ペア・ワイヤリング６８を形成することができる。ツイスト（「Ｒ」）の率または頻度は、例えば、１インチあたり２７回であってよいが、これに限定されない。例示的実施形態において、ワイヤ６８Ａ、６８Ｂは４６ゲージ・ワイヤリングであってよく、個々のワイヤ６８Ａ、６８Ｂそれぞれは色分けされてよく、色は特定の回路に接続するように事前に決定されてよい。例示的実施形態において、複数のツイスト・ペア・ワイヤリング６８は直線配置ルーティング配向（a straight lay routing orientation）にてまとめられてよく、各ツイスト・ペア・ワイヤリング６８は別のツイスト・ペア・ワイヤリング６８には撚り合わせられない。直線配置ルーティング配向により、ワイヤリング束６２の断面直径の最小化および／またはワイヤリング束６２の可撓性の最大化等のメリットがもたらされ得る。例示的実施形態において、複数のツイスト・ペア・ワイヤリング６８は、８本のツイスト・ペア・ワイヤリング６８を含んでよい。まとめられた複数のツイスト・ペア・ワイヤリング６８はシールド７０で固定されてよい。例示的実施形態において、シールド７０は編まれていてよく、シールド７０の長さ全体を通るピグテール・ワイヤ７２を有していてよい。例示的実施形態において、シールド７０は銀めっき銅編組（a silver plated copper braiding）を含んでよい。例示的実施形態において、シールド７０は４６ゲージであってよい。例示的実施形態において、シールド７０は複数のツイスト・ペア・ワイヤリング６８の長さの少なくとも９０％を被覆してよい。いくつかの実施形態で、シールド７０は１００インチ以上もの長さ（「Ｌ３」）を有してよい。例示的実施形態において、シールド７０の一端は遠位フレックス回路６４の縁部８０からおよそ１／２インチのところに配置されてよく、シールド７０の他端は近位フレックス回路６６の縁部９８からおよそ１／２インチのところに配置されてよい。
【００３１】
図５および１０に概略的に示されるように、ワイヤ・ハーネス１８の遠位フレックス回路６４は、フレキシブル基板７４、複数の導電性配線７６および複数の導電性パッド７８を含むフレキシブル・プリント回路３０であってよい。
【００３２】
基板７４は、基板７４が屈曲、湾曲および折り畳むことができる、概して薄い厚み（断面領域）を有してよい。基板７４の形状は、第１の縁部８０、第２の縁部８２、第３の縁部８４および第４の縁部８６によって画定されてよい。第１の縁部８０（すなわち近位縁部）は、ワイヤリング束６２のシールド７０端部にもっとも近く配置されてよい。第２の縁部８２（すなわち遠位縁部）は、第１の縁部８０の反対側に配置されてよい。第３の縁部８４および第４の縁部８６は、第１の縁部８０および第２の縁部８２にそれぞれ隣接してよく、第３の縁部８４および第４の縁部８６は、第１の縁部８０および第２の縁部８２にそれぞれ接続してよい。一実施形態において、基板７４は実質的に矩形の形状であってよく、この形状は第１の縁部８０、第２の縁部８２、第３の縁部および第４の縁部８６によって画定される。一実施形態において、基板７４は、ポリイミド等であるがこれに限定されない、誘電材料を含んでよい。
【００３３】
複数の導電性配線７６および複数の導電性パッド７８は基板７４上に画定されてよい。所定の配線７６およびパッド７８を組み合わせて、導電性の回路をフレキシブル回路上に形成するように構成される配線／パッドの組み合わせを形成してよい。パッド７８は概して配線７６よりも幅が大きくてもよい。一実施形態において、パッド７８は、特定のワイヤを特定の回路を形成する配線／パッドの組み合わせに接続するように半田接合を受容して構成されてよい。別の実施形態において、パッド７８は、超音波トランスデューサ・アセンブリ１２の複数のフレキシブル・プリント回路３０の１つに配置される、対応するパッド７８の組に嵌合するように構成されてよい。一実施形態において、ワイヤ・ハーネス１８の遠位フレックス回路６４と超音波トランスデューサ・アセンブリ１２のフレキシブル・プリント回路３０との間の導電性接合は、リフロー（ホットバー）半田付けを用いて接続されてよい。別の例示的実施形態において、ワイヤ・ハーネス１８の遠位フレックス回路６４と超音波トランスデューサ・アセンブリ１２のフレキシブル・プリント回路３０との間に異方性導電膜（ＡＣＦ）を配置することによって導電性接合するために、ＡＣＦを用いてよい。
【００３４】
例示的実施形態において、遠位フレックス回路６４は、導電性パッド７８の２つの組、すなわち第１の組８８および第２の組９０を有してよい。各組８８、９０は、複数の導電性パッド７８を有してよく、組におけるパッド７８の数は、遠位フレックス回路６４に画定される電気回路の数に等しい。例えば、例示的実施形態において、第１の組８８は９つのパッド７８を有してよく、第２の組９０は９つのパッド７８を有してよい。組８８、９０の各パッド７８は、配線７６によって接続される画定された回路の一部であってよい。換言すれば、第１の組８８の第１のパッド７８は第２の組９０の第１のパッド７８に接続されてよく、各パッド７８は配線７６によって接続される。したがって、１組８８、９０につき９つのパッド７８を有する本実施形態において、９つの別々の回路を有することになる。上述の説明では９つのパッド７８を有する組８８、９０について記述したが、本開示はこれに限定されることを意図しないことが理解されよう。むしろ、他の例示的実施形態は、所望の数の電気回路に対応するために１組につき任意の数のパッド７８を用いてよい。したがって、本明細書にて詳細に記述されたような実施形態以外の実施形態が、本開示の趣旨および範囲内に留まるものであることが理解されよう。
【００３５】
例示的実施形態において、第１の組のパッド７８はワイヤ束６２のツイスト・ペア・ワイヤリング６８およびシールド７０のピグテール・ワイヤリング７２に取り付けられてよい。例えば、８本のツイスト・ペア・ワイヤリング６８を有するワイヤリング束６２を有する実施形態において、遠位フレックス回路６４の各組のパッド７８は９つのパッド７８を有してよい。８本のツイスト・ペア・ワイヤリング６８のそれぞれから１本のワイヤ６８Ａを半田付けするか、または他の接合技法により第１の組８８の対応するパッド７８に接続してよい。第１の組８８に直接接続していないツイスト・ペア・ワイヤリング６８の他方のワイヤ６８Ｂを、動作可能にまたは導電的にシールド７０のピグテール・ワイヤリング７２に接続してよく、次いでピグテール・ワイヤリング７２は動作可能にまたは導電的に第１の組８８の９つ目のパッド７８に接続されてよい。一実施形態において、９つ目のパッド７８は接地目的で用いられてよい。一実施形態において、ツイスト・ペア・ワイヤリング６８が第１の組８８またはピグテール・ワイヤリング７２のいずれかに接続された後、接続部を、これに限定されないが、エポキシのような非導電性材料によって被覆されてよく、これにより接続部を保護することができる。基板７４の第２縁部８２近傍に配置された第２の組のパッド９０を、リフロー（ホットバー）半田付けまたはＡＣＦ等であるが、これらに限定されない上述の技法を用いて、超音波トランスデューサ・アセンブリ１２のフレキシブル・プリント回路３０に動作可能にまたは導電的に接続するために用いてよい。上述の実施形態は、遠位フレックス回路６４上に画定される９つの回路に接続されている８本のツイスト・ペア・ワイヤリング６８を用いるワイヤ・ハーネス１８について記述したが、任意の数のツイスト・ペア・ワイヤリング６８が、遠位フレックス回路６４上に画定される必要な数の回路に対応するのに利用されてよく、本開示の趣旨および範囲内に留まるものである。
【００３６】
ワイヤ・ハーネス１８の近位フレックス回路６６は、図６に概略的に示すように、フレキシブル基板９２、基板上に画定される複数の導電性配線９４および複数の導電性パッド９６を含むフレキシブル・プリント回路３０であってよい。
【００３７】
基板９２は、基板９２が屈曲、湾曲および／または折り畳むことができる、概して薄い厚み（断面領域）を有してよい。基板の形状は、第１の縁部９８、第２の縁部１００、第３の縁部１０２および第４の縁部１０４によって画定されてよい。第１の縁部９８（すなわち遠位縁部）は、ワイヤリング束６２のシールド７０端部にもっとも近く配置されてよい。第２の縁部１００（すなわち近位縁部）は、第１の縁部９８の反対側に配置されてよい。第３の縁部１０２および第４の縁部１０４は、第１の縁部９８および第２の縁部１００にそれぞれ隣接してよく、第３の縁部１０２および第４の縁部１０４は、第１の縁部９８および第２の縁部１００にそれぞれ接続してよい。一実施形態において、基板９２は概して矩形の形状であってよい。一実施形態において、基板９２は、ポリイミド等であるがこれに限定されない、誘電材料を含んでよい。
【００３８】
複数の配線９４および複数のパッド９６は基板９２上に画定されてよい。所定の配線９４およびパッド９６を組み合わせて、導電性の回路をフレキシブル回路上に形成するように構成される配線／パッドの組み合わせを形成してよい。パッド９６は概して配線９４よりも幅が大きくてもよい。一実施形態において、パッド９６は、特定のワイヤ６８Ａを、配線／パッドの組み合わせによって形成された特定の回路に接続するように半田接合を受容して構成されてよい。
【００３９】
図７〜８に概略的に示されるように、近位フレックス回路６６のパッド９６および基板９２の別の実施形態は、電気コネクタ２２の、ケーブルエッジ・カード（a cable edge card）等のプリント回路基板１０８上に配置された少なくとも１つのゼロ挿入力（ＺＩＦ）コネクタ１０６と嵌合するように構成されてよい。ＺＩＦコネクタ１０６は近位フレックス回路６６を受容するように構成されてよい。近位フレックス回路６６の基板９２上に配置されたパッド９６は、直接ＺＩＦコネクタ１０６の第１の部分１１０の内部またはこの上に配置されてよい。ＺＩＦコネクション１０６の第２の部分１１２はＺＩＦコネクション１０６の第１の部分１１０と係合してよく、これによりＺＩＦコネクタ１０６と近位フレックス回路６６との導電性接続ができ、ならびに近位フレックス回路６６の基板９２を物理的に把持できる。いくつかのＺＩＦコネクションシステムと関係した利点は、このシステムは近位フレックス回路６６等のフレキシブル・プリント回路３０に嵌合される嵌合半体を必要とせず、これにより低減されたまたは小型化された機器の省スペース化および経費削減が可能であることである。一実施形態において、少なくとも１つのＺＩＦコネクタ１０６を有するプリント回路基板１０８（リジッド・ケーブル・エッジ・カード（a rigid cable edge card）等）は、ＥＣＵ２３に電気的に接続するように構成されてよい。プリント回路基板（リジッド・ケーブル・エッジ・カード等）は電気コネクタ２２のハウジング１１４内に配置されてよい。電気コネクタ２２はＥＣＵ２３に接続されてよい。
【００４０】
図５、９および１０で明らかなように、近位フレックス回路６６の実施形態は２つの組のパッド９６、すなわち第１の組１１６および第２の組１１８を有してよい。各組１１６、１１８は、複数のパッドを有してよく、組１１６、１１８におけるパッド９６の数は近位フレックス回路６６上に画定される電気回路の数と合致する。例えば、一実施形態において、第１の組１１６は、８つのパッド９６を有してよく、第２の組１１８もまた８つのパッド９６を有してよい。組１１６、１１８の各パッド９６は、配線９４によって接続される画定された回路の一部であってよい。換言すれば、第１の組１１６の第１のパッド９６は第２の組１１８の第１のパッド９６に接続されてよく、各パッド９６は配線９４によって接続される。このように、１つの組１１６、１１８につき８つのパッド９６を有する実施形態は、例えば８つの別々の回路を有する。
【００４１】
一実施形態において、パッド９６の第１の組１１６は、ワイヤ束６２のツイスト・ペア・ワイヤリング６８に取り付けてよい。例えば、これに限定しないが、８本のツイスト・ペア・ワイヤリング６８を有するワイヤリング束６２を有する実施形態において、近位フレックス回路６６のパッド９６の第１の組１１６は８つのパッド９６を有してよい。８本のツイスト・ペア・ワイヤリング６８のそれぞれから１本のワイヤ６８Ａを半田付けするか、または他の電気的に接続される接合技法により第１の組１１６の対応するパッド９６に接続してよい。パッド９６の第１の組１１６に直接接続していないツイスト・ペア・ワイヤリング６８の他方のワイヤ６８Ｂはシールド７０のピグテール・ワイヤリング７２に接続されてよく、また、覆われて近位フレックス回路６６に接続していなくてもよい。ワイヤ・ハーネス１８の近位端６０に配置されるツイスト・ペア・ワイヤリング６８の他方のワイヤ６８Ｂと組み合わされているピグテール・ワイヤリング７２はシールド７０に固定されてよい。一実施形態において、ツイスト・ペア・ワイヤリング６８Ａがパッド９６の第１の組１１６に接続された後、接続部を、エポキシ等であるが、これに限定されない非導電性材料によって被覆されてよく、これにより接続部を保護する。第２の組１１８は第２縁部１００付近に配置されてよく、パッド９６の第２の組１１８を有する近位フレックス回路６６は、プリント回路基板１０８上に配置されるＺＩＦコネクタ１０６内に挿入されてよい。一実施形態において、プリント回路基板１０８は、例えば、セント・ジュード・メディカル社製のＶｉｅｗＭａｔｅ（商標）ＺまたはＶｉｅｗＭａｔｅ（商標）ＩＩ心臓内超音波コンソールに接続されてよい、セント・ジュード・メディカル社製ＶｉｅｗＦｌｅｘ（商標）カテーテル・インタフェース・モジュールに接続されてよい。上述の実施形態には、近位フレックス回路６６上に画定される８つの回路に接続されている８本のツイスト・ペア・ワイヤリング６８を用いるワイヤ・ハーネス１８について記述したが、任意の数のツイスト・ペア・ワイヤリング６８が、近位フレックス回路６６上に画定される所望の数の回路に対応するために利用されてよい。
【００４２】
上述のワイヤ・ハーネス１８の種々の実施形態において、超音波トランスデューサ・アセンブリ１２を、ＥＣＵ２３に電気的に接続するように構成される、電気コネクタに電気的に接続する単一のワイヤ・ハーネス１８が開示された。しかしながら、図３から明らかなように超音波トランスデューサ・アセンブリ１２をＥＣＵ２３に電気的に接続するために複数のワイヤ・ハーネス１８が用いられてよいことが理解されよう。複数のワイヤ・ハーネス１８を用いる種々の利点には、ワイヤ・ハーネス１８を用いる医療装置の可撓性の最大化、カテーテル１０のワイヤ・ハーネス１８を実装するフレックス回路のサイズの低減、および、共通のワイヤ・ハーネス１８を異なる医療装置で用いることによるスケールメリットの利用を含んでよいが、これらに限定されない。
【００４３】
例えば、これに限定されないが、６４の圧電素子およびトランスデューサ２８に電気的に接続された４つのフレキシブル・プリント回路３０を有する超音波トランスデューサ・アセンブリ１２の前述した実施形態にて、４つのフレキシブル・プリント回路３０はそれぞれ１８の個々の回路、合計７２の回路を有する（圧電素子とＥＣＵ２３との間の信号を電気的に導通させる６４の回路および８つの接地回路）。８本の個々のワイヤ・ハーネス１８を、超音波トランスデューサ・アセンブリ１２のフレキシブル・プリント回路３０あたり２本ずつ、超音波トランスデューサ・アセンブリ１２をＥＣＵ２３に接続するために用いてよい。
【００４４】
図９および１０から明らかなように、超音波トランスデューサ・アセンブリ１２のフレキシブル・プリント回路３０の実施形態は、もっとも外側の回路に配置される接地回路を有してよい。これらの実施形態により、ワイヤ・ハーネス１８Ａ、１８Ｂを超音波トランスデューサ・アセンブリ１２に接続する際、第１のワイヤ・ハーネス１８Ａおよび第２のワイヤ・ハーネス１８Ｂが超音波トランスデューサ・アセンブリ１２のもっとも外側の接地回路の位置と合致してもよい。第１のワイヤ・ハーネス１８Ａおよび第２のワイヤ・ハーネス１８Ｂは遠位フレックス回路６４上の接地回路の位置のみ異なっていてよい。例えば、図９で明らかなように、遠位フレックス回路は、配線７６１〜Ｎおよびパッド７８１〜Ｎの組み合わせにより形成された複数の回路（例えば、配線／パッド回路７６１〜Ｎ、７８１〜Ｎ）を有してよい。第１のワイヤ・ハーネス１８Ａは、第１の配線／パッド組み合わせ７６１、７８１に隣接して位置する接地回路７６ＧＮＤ、７８ＧＮＤを有してよい。図１０から明らかなように、第２のワイヤ・ハーネス１８Ｂは、第Ｎ番目の配線／パッド組み合わせ７６Ｎ、７８Ｎに隣接して位置する接地回路７６ＧＮＤ、７８ＧＮＤを有してよい。第１のワイヤ・ハーネス１８Ａおよび第２のワイヤ・ハーネス１８Ｂの両方において、接地回路はもっとも外側の配線／パッド回路のうちの１つであってよい。一実施形態において、２本のワイヤ・ハーネス１８は色分けされてよい。例えば、第１のワイヤ・ハーネス１８Ａは赤色に、第２のワイヤ・ハーネス１８Ｂに黒色に色分けされてよい。
【００４５】
図３から明らかなように、２本のワイヤ・ハーネス１８が超音波トランスデューサ・アセンブリ１２のフレキシブル・プリント回路３０のそれぞれに取り付けられている実施形態において、超音波トランスデューサ・アセンブリ１２の各フレキシブル・プリント回路３０は、配線３８の少なくとも一部に略平行に配向された折り目１２０に沿ってそれ自体の上に折り畳むことができる。超音波トランスデューサ・アセンブリ１２のフレキシブル・プリント回路３０を折り畳むことによって、超音波トランスデューサ・アセンブリ１２のフレキシブル・プリント回路３０の幅（「Ｗ１」）が、より小さい幅（「Ｗ２」）に減少されてよく、この幅はワイヤ・ハーネス１８の遠位フレックス回路６４とほぼ同じ幅（「Ｗ３」）であり得る。本明細書に開示されるワイヤ・ハーネス１８の種々の実施形態の使用により、制御ハンドル１４により多方向に操作されたときに本体１６の可撓性が向上し、かつ／または一貫するという便益が与えられ得る。
【００４６】
特定の実施形態のみをある程度の特殊性と共に上述してきたが、当業者であれば本開示の範囲から逸脱することなく開示された実施形態に対して多くの変更を行うことができる。結合に関する参照（例えば、取り付けられる、結合される、接続されるなど）は、広義に解釈されるべきであり、要素の接続部の中間部材や、要素間の相対運動の中間部材を包含している。このように、結合に関する参照は、２つの要素が直接接続されていること、及び互いに固定されていることを必ずしも推論するものではない。加えて、電気的な接続及び通信という用語は広義に解釈されるべきであり、有線及び無線の接続及び通信の双方を包含している。上記の説明に含まれるまたは添付図面に示されるすべての事項は例示にすぎず、限定するものとして解釈されるべきでないことが意図される。細部又は構造の変更は、添付の特許請求の範囲に規定される本発明から逸脱することなく行うことができる。
【００４７】
本明細書中に参照により援用されると称される、いかなる特許、出版物、もしくはその他の開示マテリアルは全体として又はその一部として組み込まれたマテリアルは、既存の定義、記述、または本開示おけるその他の開示マテリアルと競合しない範囲においてのみ、参照により本明細書に組み込まれる。また、必要な範囲内において、本明細書に明示的に記載した開示は、本明細書に参照により組み込まれる全てのマテリアルよりも優先される。任意のマテリアル、またはその部分は、参照により本明細書に援用されると称されるが、既存の定義、記述、または本明細書に記載の他の開示マテリアルとその組み込まれたマテリアルとの間に衝突が生じない程度に組み入れるものとする。
以下の項目は、国際出願時の特許請求の範囲に記載の要素である。
（項目１）ルーメンを有する細長の本体を含む、医療装置用のワイヤ・ハーネスであって、
遠位部分および近位部分、
複数のツイスト・ペア・ワイヤリング、ならびに
前記複数のツイスト・ペア・ワイヤリングの一部を取り囲むシールド
を含むワイヤリング束と、
電気的に制御された対象に動作可能に接続するように構成された、前記ワイヤリング束の前記遠位部分に接続された遠位フレックス回路と、
電気コネクタに動作可能に接続するように構成された、前記ワイヤリング束の前記近位部分に接続された近位フレックス回路と
を含み、
前記医療装置の前記細長の本体の前記ルーメンを実質的に通って延びるようにサイズ決めおよび構成されるワイヤ・ハーネス。
（項目２）前記複数のツイスト・ペア・ワイヤリングは直線配置配向にて提供される、項目１に記載のワイヤ・ハーネス。
（項目３）前記電気的に制御された対象は、超音波トランスデューサおよび複数のフレキシブル・プリント回路を含む超音波トランスデューサ・アセンブリであり、前記遠位フレックス回路が前記複数のフレキシブル・プリント回路の少なくとも１つに動作可能に接続するように構成されている、項目１に記載のワイヤ・ハーネス。
（項目４）前記超音波トランスデューサが、少なくとも６４の圧電素子を含む、項目３に記載のワイヤ・ハーネス。
（項目５）前記遠位フレックス回路と、前記複数のフレキシブル・プリント回路のうち少なくとも１つとの間の動作可能なまたは導電性の接続部は、接合または半田付けされる、項目３に記載のワイヤ・ハーネス。
（項目６）前記遠位フレックス回路と、前記複数のフレキシブル・プリント回路のうち少なくとも１つとの間の動作可能な接続部は、前記遠位フレックス回路と、前記複数のフレキシブル・プリント回路のうち少なくとも１つとの間に設けられる異方性導電膜で接合される、項目３に記載のワイヤ・ハーネス。
（項目７）前記近位フレックス回路は、フレキシブル基板および複数の導電性パッドを含み、前記フレキシブル基板および前記複数の導電性パッドはゼロ挿入力（ＺＩＦ）型コネクタに接続するように構成される、項目１に記載のワイヤ・ハーネス。
（項目８）前記ＺＩＦ型コネクタはリジッド・プリント回路基板上に設けられる、項目７に記載のワイヤ・ハーネス。
（項目９）前記医療装置はハンドルを含み、前記ワイヤ・ハーネスは前記ハンドルを完全に通って延びるように構成されている、項目１に記載のワイヤ・ハーネス。
（項目１０）前記医療装置は、少なくとも１つのアクチュエータを含むハンドルを含み、
前記少なくとも１つのアクチュエータは、前記少なくとも１つのアクチュエータの操作により少なくとも４つの方向に前記細長の本体を操作するように構成される、項目１に記載のワイヤ・ハーネス。
（項目１１）前記ワイヤリング束は、少なくとも８本の前記ツイスト・ペア・ワイヤリングを含む、項目１に記載のワイヤ・ハーネス。
（項目１２）前記ツイスト・ペア・ワイヤリングは、１インチあたり少なくとも２７回のツイスト率を有する、項目１に記載のワイヤ・ハーネス。
（項目１３）前記シールドは、銀めっき銅編組を含む、項目１に記載のワイヤ・ハーネス。
（項目１４）前記シールドは、接地用に構成されたピグテール・ワイヤを含み、前記ツイスト・ペア・ワイヤリングは、第１のワイヤおよび第２のワイヤを含み、前記近位フレックス回路は、フレキシブル基板および複数の導電性パッドを含み、前記ツイスト・ペア・ワイヤリングの前記第１のワイヤは、前記複数の導電性パッドの個々の導電性パッドで動作可能に終端し、前記第２のワイヤは前記ピグテール・ワイヤに動作可能に接続される、項目１に記載のワイヤ・ハーネス。
（項目１５）
前記シールドは、接地用に構成されたピグテール・ワイヤを含み、前記ツイスト・ペア・ワイヤリングは、第１のワイヤおよび第２のワイヤを含み、前記遠位フレックス回路は、フレキシブル基板および複数の導電性パッドを含み、前記ツイスト・ペア・ワイヤリングの前記第１のワイヤは、前記複数の導電性パッドの個々の導電性パッドで動作可能に終端し、前記第２のワイヤは前記ピグテール・ワイヤに動作可能に接続され、前記ピグテール・ワイヤは前記複数の導電性パッドのうちのある導電性パッドで動作可能に終端する、項目１に記載のワイヤ・ハーネス。
（項目１６）電気的に制御された対象は、一組の導電性パッドを含む少なくとも１つのフレキシブル・プリント回路を含み、前記遠位フレックス回路は、前記遠位フレックス回路の遠位端に隣接して備えられる前記一組の導電性パッドを有し、前記一組の導電性パッドは前記ツイスト・ペア・ワイヤリングの第１のワイヤに直接接続されておらず、前記遠位フレックス回路の前記一組の導電性パッドは、前記電気的に制御された対象の前記一組の導電性パッドに導電的に接合するように構成される、項目１５に記載のワイヤ・ハーネス。
（項目１７）第１のワイヤ・ハーネスおよび第２のワイヤ・ハーネスを含む医療装置用の一対のワイヤ・ハーネスであって、各ワイヤ・ハーネスが、
複数のツイスト・ペア・ワイヤリング、および
前記複数のツイスト・ペア・ワイヤリングの一部を取り囲むシールド
を含むワイヤリング束と、
電気的に制御された対象および少なくとも１つのフレキシブル・プリント回路を含む電気的に制御された対象アセンブリに動作可能に接続するように構成される遠位フレックス回路であって、前記電気的に制御された対象アセンブリが前記医療装置の遠位部分に備えられる、遠位フレックス回路と、
電気コネクタに動作可能に接続するように構成される近位フレックス回路と
を含み、
前記ワイヤリング束は動作可能に前記遠位フレックス回路を前記近位フレックス回路に接続し、前記第１のワイヤ・ハーネスおよび前記第２のワイヤ・ハーネスはそれぞれ、動作可能に、前記電気的に制御された対象アセンブリの同じ前記フレキシブル・プリント回路に接続される、一対のワイヤ・ハーネス。
（項目１８）前記電気的に制御された対象は、第１の幅を有するフレキシブル基板を含む少なくとも１つのフレキシブル・プリント回路を含み、前記電気的に制御された対象の前記フレキシブル基板は第２の幅になるよう屈曲または折り畳まれるように構成され、前記第２の幅は前記第１の幅よりも小さい、項目１７に記載のワイヤ・ハーネス。
（項目１９）医療装置用の複数のワイヤ・ハーネス対であって、
第１のワイヤ・ハーネスおよび第２のワイヤ・ハーネスを含むワイヤ・ハーネス対を含み、各ワイヤ・ハーネスが、
複数のツイスト・ペア・ワイヤリング、および
前記複数のツイスト・ペア・ワイヤリングの一部を取り囲むシールド
を含むワイヤリング束と、
超音波トランスデューサ・アセンブリに動作可能に接続するように構成される遠位フレックス回路であって、
超音波トランスデューサ、および
前記超音波トランスデューサに動作可能に接続される複数のフレキシブル・プリント回路
を含み、前記超音波トランスデューサ・アセンブリは前記医療装置の遠位部分に配置される、遠位フレックス回路と、
電子制御ユニットに動作可能に接続するように構成された電気コネクタに、動作可能に接続するように構成された近位フレックス回路と
を含み、
前記ワイヤリング束は動作可能に前記遠位フレックス回路を前記近位フレックス回路に接続し、
前記第１のワイヤ・ハーネスおよび前記第２のワイヤ・ハーネスはそれぞれ、前記超音波トランスデューサ・アセンブリの前記複数のフレキシブル・プリント回路のうち同じフレキシブル・プリント回路に動作可能に接続される、複数のワイヤ・ハーネス対。
（項目２０）前記複数のワイヤ・ハーネス対は少なくとも４つのワイヤ・ハーネス対を含む、項目１９に記載のワイヤ・ハーネス。
【図１】
0006055081.tif 000002
【図２】
0006055081.tif 000003
【図３】
0006055081.tif 000004
【図４】
0006055081.tif 000005
【図５】
0006055081.tif 000006
【図６】
0006055081.tif 000007
【図７】
0006055081.tif 000008
【図８】
0006055081.tif 000009
【図９】
0006055081.tif 000010
【図１０】
0006055081.tif 000011